【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
他の情報処理装置とネットワークを介してコンテンツデータを送信又は受信する情報処理装置であって、
外部システムにログインする際に入力された識別情報と認証情報を、認証を要求するために前記外部システムに送信する情報送信手段と、
前記外部システムから受信した認証結果が認証成立であり、かつ、前記外部システムにおいて保存されたユーザの電子メールアドレスへメールを送信することによって前記識別情報に関連付けられた前記電子メールアドレスが確認済みの場合に、コンテンツデータを送信又は受信する機能を有効化する有効化手段と、
を有することを特徴とする情報処理装置。
【請求項２】
前記有効化手段は、前記識別情報に関連付けられた前記電子メールアドレスの確認有無情報に基づいて前記電子メールアドレスが確認済みか否かを判断する請求項１に記載の情報処理装置。
【請求項３】
前記コンテンツデータは画像データ及び音声データを含む請求項１又は２に記載の情報処理装置。
【請求項４】
前記外部システムは、前記メールに記載のＵＲＬへユーザがアクセスしたことをもって電子メールアドレスが確認済みであると判断する請求項１〜３のいずれか１項に記載の情報処理装置。
【請求項５】
前記外部システムにおいて前記電子メールアドレスに前記メールが到達したことが確認されると前記電子メールアドレスが確認済みであると設定される、ことを特徴とする請求項１記載の情報処理装置。
【請求項６】
前記有効化手段は、前記外部システムから受信した認証結果が認証成立であり、かつ、前記外部システムから受信したユーザの電子メールアドレスの前記確認有無情報が確認済みであり、さらに、前記外部システムから受信したユーザの前記認証情報の変更有無情報が変更ありの場合、コンテンツデータを送信又は受信する機能を有効化する、
ことを特徴とする請求項２に記載の情報処理装置。
【請求項７】
前記外部システムから受信したユーザの電子メールアドレスの前記確認有無情報が確認済みでない場合、電子メールの確認処理を行う画面を表示し、
前記外部システムから受信したユーザの前記認証情報の変更有無情報が変更済みでない場合、前記認証情報の変更処理を行う画面を表示する画面表示手段、
を有することを特徴とする請求項６に記載の情報処理装置。
【請求項８】
前記識別情報は、有償でユーザに配布されているか、又は、有償のライセンス若しくは有償のコンテンツと対応づけられており、
複数の識別情報と初期設定された前記認証情報の組がまとめて顧客側に配布されている、
ことを特徴とする請求項１〜７のいずれか１項に記載の情報処理装置。
【請求項９】
他の情報処理装置とネットワークを介してコンテンツデータを送信又は受信する情報処理装置と、外部システムとを有するコンテンツデータ送受信システムであって、
ログインする際に入力される識別情報に関連づけて認証情報、及び、電子メールアドレスの確認有無情報、が登録された情報記憶手段と、
情報処理装置から送信された前記識別情報と前記認証情報に基づき認証が成立するか否かを判定する認証手段と、
外部システムにログインする際に入力された識別情報と認証情報を、認証を要求するために前記外部システムに送信する情報送信手段と、
前記外部システムから受信した認証結果が認証成立であり、かつ、前記外部システムにおいて保存されたユーザの電子メールアドレスへメールを送信することによって前記識別情報に関連付けられた前記電子メールアドレスが確認済みの場合に、コンテンツデータを送信又は受信する機能を有効化する有効化手段と、
を有することを特徴とするコンテンツデータ送受信システム。
【請求項１０】
前記外部システムは、新しい前記識別情報と前記認証情報の配布を要求された場合、前記情報記憶手段に重複しない前記識別情報と関連付けて任意の前記認証情報を設定すると共に、前記確認有無情報を確認なしに設定し、
前記情報処理装置から電子メールアドレスの確認要求がある場合、電子メールアドレスの確認画面を前記情報処理装置に送信し、該情報処理装置から前記識別情報及びユーザの電子メールアドレスを受信し、
任意のメール識別情報を作成して前記電子メールアドレスを宛先にして送信し、
前記情報処理装置から受信した前記メール識別情報が、作成した前記メール識別情報と一致する場合、前記情報処理装置から該メール識別情報と共に受信したユーザの電子メールアドレスの前記確認有無情報を確認済みに設定する、
ことを特徴とする請求項９に記載のコンテンツデータ送受信システム。
【請求項１１】
前記外部システムは、ユーザの認証が成立すると判定した場合にのみ、
前記情報処理装置から電子メールアドレスの確認要求がある場合、電子メールアドレスの確認画面を前記情報処理装置に送信する、
ことを特徴とする請求項１０に記載のコンテンツデータ送受信システム。
【請求項１２】
他の情報処理装置とネットワークを介してコンテンツデータを送信又は受信する情報処理装置を認証する外部システムであって、
ログインする際に入力される識別情報に関連づけて認証情報、及び、電子メールアドレスの確認有無情報、が登録された情報記憶手段と、
情報処理装置から送信された前記識別情報と前記認証情報に基づき認証が成立するか否かを判定する認証手段と、
前記外部システムにログインする際に入力された前記識別情報と前記認証情報を、認証を要求するために前記外部システムに送信する情報送信手段と、
新しい前記識別情報と前記認証情報の配布を要求された場合、前記情報記憶手段に重複しない識別情報と任意の前記認証情報を設定すると共に、前記確認有無情報を確認なしに設定する情報作成手段と、
前記情報処理装置から電子メールアドレスの確認要求がある場合、電子メールアドレスの確認画面を前記情報処理装置に送信し、該情報処理装置から前記識別情報及び電子メールアドレスを受信する通信手段と、
任意のメール識別情報を作成して前記電子メールアドレスを宛先にして送信するメール識別情報作成手段と、を有し、
前記情報作成手段は、前記情報処理装置から受信した前記メール識別情報が、前記メール識別情報作成手段が作成した前記メール識別情報と一致する場合、前記情報処理装置から該メール識別情報と共に受信したユーザの電子メールアドレスの前記確認有無情報を確認済みに設定する、ことを特徴とする外部システム。
【請求項１３】
ログインする際に入力される識別情報に関連づけて認証情報、及び、電子メールアドレスの確認有無情報、が登録された情報記憶手段と、
情報処理装置から送信された前記識別情報と前記認証情報に基づき認証が成立するか否かを判定する認証手段と、を有する外部システムと、
コンピュータを、
外部システムにログインする際に入力された識別情報と認証情報を、認証を要求するために前記外部システムに送信する情報送信手段と、
前記外部システムから受信した認証結果が認証成立であり、かつ、前記外部システムにおいて保存されたユーザの電子メールアドレスへメールを送信することによって前記識別情報に関連付けられた前記電子メールアドレスが確認済みの場合に、コンテンツデータを送信又は受信する機能を有効化する有効化手段、として機能させるプログラムと、
を有することを特徴とするコンテンツデータ送受信システム。
【請求項１４】
情報処理装置にインストールされると、
前記情報処理装置を、
外部システムにログインする際に入力された識別情報と認証情報を、認証を要求するために前記外部システムに送信する情報送信手段と、
前記外部システムから受信した認証結果が認証成立であり、かつ、前記外部システムにおいて保存されたユーザの電子メールアドレスへメールを送信することによって前記識別情報に関連付けられた前記電子メールアドレスが確認済みの場合に、コンテンツデータを送信又は受信する機能を有効化する有効化手段、として機能させるプログラム。
【手続補正２】
【補正対象書類名】明細書
【補正対象項目名】発明の名称
【補正方法】変更
【補正の内容】
【発明の名称】情報処理装置、コンテンツデータ送受信システム、外部システム、プログラム
【手続補正３】
【補正対象書類名】明細書
【補正対象項目名】０００１
【補正方法】変更
【補正の内容】
【０００１】
本発明は、外部システムとネットワークを介してコンテンツデータを送信又は受信する情報処理装置等に関する。
【手続補正４】
【補正対象書類名】明細書
【補正対象項目名】００１６
【補正方法】変更
【補正の内容】
【００１６】
本発明は、他の情報処理装置とネットワークを介してコンテンツデータを送信又は受信する情報処理装置であって、外部システムにログインする際に入力された識別情報と認証情報を、認証を要求するために前記外部システムに送信する情報送信手段と、前記外部システムから受信した認証結果が認証成立であり、かつ、前記外部システムにおいて保存されたユーザの電子メールアドレスへメールを送信することによって前記識別情報に関連付けられた前記電子メールアドレスが確認済みの場合に、コンテンツデータを送信又は受信する機能を有効化する有効化手段と、を有することを特徴とする。